【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
基地局と移動端末とを有する移動通信システム内で、アップリンク上で前記移動端末からデータを送信する方法であって、
前記基地局から、データ送信用のリソースを付与するリソース割当てメッセージを受信するステップを有し、
前記リソース割当てメッセージは、スケジュールされたトランスポート・フォーマットを指示し、
前記リソース割当てメッセージに応答して、スケジュールされた前記トランスポート・フォーマットを適用して、前記トランスポート・フォーマットに関する制御情報を前記基地局へ送信せずにデータを前記基地局へ送信するステップを有し、
スケジュールされた前記トランスポート・フォーマットによって必要とされる送信電力が前記移動端末の送信できる最大電力を超える場合は、前記移動端末は、スケジュールされた前記トランスポート・フォーマットを適用したアップリンク上のデータ送信に用いる送信電力を適応する、方法。
【請求項２】
基地局と移動端末とを有する移動通信システム内で、アップリンク上で前記移動端末からデータを送信する方法であって、
前記基地局から、データ送信用のリソースを付与するリソース割当てメッセージを受信するステップを有し、
前記リソース割当てメッセージは、スケジュールされたトランスポート・フォーマットを指示し、
前記リソース割当てメッセージに応答して、スケジュールされた前記トランスポート・フォーマットを適用して、前記トランスポート・フォーマットに関する制御情報を前記基地局へ送信せずにデータを前記基地局へ送信するステップを有し、
スケジュールされた前記トランスポート・フォーマットによって必要とされる送信電力が前記移動端末の送信できる最大電力を超える場合は、前記移動端末は、スケジュールされた前記トランスポート・フォーマットに基づく送信電力より小さい送信電力でデータを送信する、方法。
【請求項３】
基地局と移動端末とを有する移動通信システム内で、アップリンク上で前記移動端末からデータを送信する方法であって、
前記基地局から、データ送信用のリソースを付与するリソース割当てメッセージを受信するステップを有し、
前記リソース割当てメッセージは、スケジュールされたトランスポート・フォーマットを指示し、
前記リソース割当てメッセージに応答して、スケジュールされた前記トランスポート・フォーマットを適用して、前記トランスポート・フォーマットに関する制御情報を前記基地局へ送信せずにデータを前記基地局へ送信するステップを有し、
スケジュールされた前記トランスポート・フォーマットによって必要とされる送信電力が前記移動端末の送信できる最大電力を超える場合は、前記移動端末は、前記移動端末の送信できる最大電力でデータを送信する、方法。
【請求項４】
前記移動端末のバッファ内のデータの量が、スケジュールされた前記トランスポート・フォーマットにより割り当てられたアップリンク・リソースを満たすのに十分ではない場合には、付与されたリソースを埋めるためにパディングを使用する、請求項１から請求項３までのいずれか１項に記載の方法。
【請求項５】
前記移動通信システムは、スケジュールされた共有チャネル上の送信とコンテンション・ベースのチャネル上の送信を含むアップリンク方式を採用し、前記スケジュールされた共有チャネルを介してデータを送信するためのリソースを付与する前記リソース割当てメッセージを受信する前に、前記移動端末は、リソース割当ての役目を担う基地局へ前記コンテンション・ベースのチャネルを介してリソース要求を送信するステップを実行する、請求項１から請求項４までのいずれか１項に記載の方法。
【請求項６】
アップリンク上で前記データを送信するために単一キャリアＦＤＭＡ方式が採用される、請求項５に記載の方法。
【請求項７】
データ送信用の前記リソースは、送信時間間隔単位で付与される、請求項１から請求項６までのいずれか１項に記載の方法。
【請求項８】
前記リソース要求は、ユーザ・データを送信するために前記移動端末によって要求されたアップリンク・リソースを示すリソース情報を含む、請求項５から請求項７までのいずれか１項に記載の方法。
【請求項９】
基地局と移動端末とを有する移動通信システム内のアップリンク上でのデータ通信の方法であって、
前記移動通信システムのリソース割当ての役目を担う前記基地局により、データ送信用のリソースを付与するリソース割当てメッセージを前記移動端末へ送信するステップを有し、
前記リソース割当てメッセージは、スケジュールされたトランスポート・フォーマットを指示し、
前記移動通信システムのリソース割当ての役目を担う前記基地局により、前記トランスポート・フォーマットに関する制御情報を受信せずに、スケジュールされた前記トランスポート・フォーマットを適用して前記移動端末から送信されたデータを受信し、受信したデータを復号するステップを有し、
スケジュールされた前記トランスポート・フォーマットによって必要とされる送信電力が前記移動端末の送信できる最大電力を超える場合は、前記移動端末は、スケジュールされた前記トランスポート・フォーマットを適用したアップリンク上のデータ送信に用いる送信電力を適応する、方法。
【請求項１０】
前記基地局は、スケジュールされた前記トランスポート・フォーマットに必要とされる送信電力に比べて低下した送信電力でデータを受信する、請求項９に記載の方法。
【請求項１１】
前記移動端末がスケジュールされた前記トランスポート・フォーマットに必要とされるほど十分な送信電力をもたない場合は、ＨＡＲＱプロトコルが送信電力低下を補償するために適合される、請求項１０に記載の方法。
【請求項１２】
前記移動端末のバッファ内のデータの量が、スケジュールされた前記トランスポート・フォーマットにより割り当てられたアップリンク・リソースを満たすのに十分ではない場合には、付与されたリソースを埋めるためにパディングを使用する、請求項９から請求項１１までのいずれか１項に記載の方法。
【請求項１３】
前記移動通信システムは、スケジュールされた共有チャネル上の送信とコンテンション・ベースのチャネル上の送信を含むアップリンク方式を採用し、前記スケジュールされた共有チャネルを介してデータを送信するためのリソースを付与する前記リソース割当てメッセージを送信する前に、前記基地局は、前記コンテンション・ベースのチャネルを介してリソース要求を前記移動端末から受信するステップを実行する、請求項９から請求項１２までのいずれか１項に記載の方法。
【請求項１４】
アップリンク上で前記データを送信するために単一キャリアＦＤＭＡ方式が採用される、請求項１３に記載の方法。
【請求項１５】
データ送信用の前記リソースは、送信時間間隔単位で付与される、請求項９から請求項１４までのいずれか１項に記載の方法。
【請求項１６】
前記受信されたリソース要求は、ユーザ・データを送信するために前記移動端末によって要求されたアップリンク・リソースを示すリソース情報を含む、請求項１３から請求項１５までのいずれか１項に記載の方法。
【請求項１７】
移動通信システム内で使用される移動端末であって、
基地局から、データ送信用のリソースを付与するリソース割当てメッセージを受信する受信器を具備し、
前記リソース割当てメッセージは、スケジュールされたトランスポート・フォーマットを指示し、
前記リソース割当てメッセージに応答して、スケジュールされた前記トランスポート・フォーマットを適用し、前記トランスポート・フォーマットに関する制御情報を前記基地局へ送信せずにデータを前記基地局へ送信する送信器を具備し、
スケジュールされた前記トランスポート・フォーマットによって必要とされる送信電力が前記移動端末の送信できる最大電力を超える場合は、前記移動端末は、スケジュールされた前記トランスポート・フォーマットを適用したアップリンク上のデータ送信に用いる送信電力を適応する、移動端末。
【請求項１８】
移動通信システム内で使用される移動端末であって、
基地局から、データ送信用のリソースを付与するリソース割当てメッセージを受信する受信器を具備し、
前記リソース割当てメッセージは、スケジュールされたトランスポート・フォーマットを指示し、
前記リソース割当てメッセージに応答して、スケジュールされた前記トランスポート・フォーマットを適用し、前記トランスポート・フォーマットに関する制御情報を前記基地局へ送信せずにデータを前記基地局へ送信する送信器を具備し、
スケジュールされた前記トランスポート・フォーマットによって必要とされる送信電力が前記移動端末の送信できる最大電力を超える場合は、前記移動端末は、スケジュールされた前記トランスポート・フォーマットに基づく送信電力より小さい送信電力でデータを送信する、移動端末。
【請求項１９】
移動通信システム内で使用される移動端末であって、
基地局から、データ送信用のリソースを付与するリソース割当てメッセージを受信する受信器を具備し、
前記リソース割当てメッセージは、スケジュールされたトランスポート・フォーマットを指示し、
前記リソース割当てメッセージに応答して、スケジュールされた前記トランスポート・フォーマットを適用し、前記トランスポート・フォーマットに関する制御情報を前記基地局へ送信せずにデータを前記基地局へ送信する送信器を具備し、
スケジュールされた前記トランスポート・フォーマットによって必要とされる送信電力が前記移動端末の送信できる最大電力を超える場合は、前記移動端末は、前記移動端末の送信できる最大電力でデータを送信する、移動端末。
【請求項２０】
請求項４から請求項８までのうちのいずれか１項に記載の前記方法の各ステップを実行するように構成された手段をさらに備える、請求項１７から請求項１９までのいずれか１項に記載の移動端末。
【請求項２１】
移動端末のプロセッサにより実行時に、前記移動端末が、
基地局から、アップリンク上のデータ送信用のリソースを付与するリソース割当てメッセージを受信し、
前記リソース割当てメッセージは、スケジュールされたトランスポート・フォーマットを指示し、
前記リソース割当てメッセージに応答して、スケジュールされた前記トランスポート・フォーマットを適用し、前記トランスポート・フォーマットに関する制御情報を前記基地局へ送信せずにデータを前記基地局へ送信する、
ようにさせる命令を記憶するコンピュータにより読取り可能な媒体であって、
スケジュールされた前記トランスポート・フォーマットによって必要とされる送信電力が前記移動端末の送信できる最大電力を超える場合は、前記移動端末は、スケジュールされた前記トランスポート・フォーマットを適用したアップリンク上のデータ送信に用いる送信電力を適応するようにさせる命令を記憶するコンピュータにより読取り可能な媒体。
【請求項２２】
前記移動端末の前記プロセッサにより実行時に、前記移動端末が、請求項４から請求項８までのうちのいずれか１項に記載の前記方法の各ステップを実行するようにさせる命令をさらに記憶する、請求項２１に記載のコンピュータにより読取り可能な媒体。